(57)【要約】【課題】データ転送速度の高速化を実現した半導体メモリカードを提供する。【解決手段】実施の形態のハイスピードＳＤメモリカード１００は、コネクタへの挿入方向の端部に挿入方向と直交する方向に配列して配置され、半導体メモリへのデータの読み書きをコントローラに高速モードで行わせる際に用いられる高速モード用ピン５と、ノーマルコネクタのカード挿入穴に挿入されることを、ノーマルコネクタのカード挿入穴の開口部と干渉して妨げ、かつ、カード挿入穴２０１の奥端部に通常モード用端子２０２を、通常モード用端子２０２よりもカード挿入穴２０１の開口側に高速モード用端子２０３をそれぞれ備え、通常モード及び高速モードの両方に対応したハイブリッドコネクタ２００のカード挿入穴２０１の突起２０９と干渉することによって、高速モード用ピン５が高速モード用端子２０３と接触する位置よりも奥へ挿入されることを妨げる干渉部とを備える。【選択図】図７
2011146022.tif 000002
【特許請求の範囲】
【請求項１】
半導体メモリ及び該半導体メモリを制御するコントローラが実装された基板と、前記基板を収容する筐体とを有し、第１のモードよりも高速にデータを転送する第２のモードで前記半導体メモリへのデータの読み書きが可能な半導体メモリカードであって、
コネクタへの挿入方向の端部に前記挿入方向と直交する方向に配列して配置され、前記半導体メモリへのデータの読み書きを前記コントローラに前記第２のモードで行わせる際に用いられるピン群と、
前記第１のモード専用のコネクタのカード挿入穴に正常位置まで挿入されることを、前記第１のモード専用のコネクタのカード挿入穴の開口部と干渉して妨げ、かつ、カード挿入穴の奥端部に前記第１のモード用の端子を、該第１のモード用の端子よりも前記カード挿入穴の開口側に前記第２のモード用の端子をそれぞれ備え、前記第１及び第２のモードの両方に対応した兼用コネクタのカード挿入穴の内壁と干渉することによって、前記ピン群が前記第２のモード用の端子と接触する位置よりも奥へ挿入されることを妨げる干渉部とを備えることを特徴とする半導体メモリカード。
【請求項２】
前記第１のモード専用のコネクタのカード挿入穴の開口幅及び前記兼用コネクタのカード挿入穴の奥端部での幅のいずれよりも幅が広い幅広部を備え、該幅広部によって前記干渉部が形成されたことを特徴とする請求項１記載の半導体メモリカード。
【請求項３】
前記第１のモード専用のコネクタのカード挿入穴の開口高さ及び前記兼用コネクタのカード挿入穴の奥端部での高さのいずれよりも高さ寸法が大きい厚肉部を備え、該厚肉部によって前記干渉部が形成されたことを特徴とする請求項１記載の半導体メモリカード。
【請求項４】
前記ピン群に、差動クロック信号、電源、グラウンド、及び少なくとも一対の差動データ信号が割り当てられたことを特徴とする請求項１から３のいずれか１項記載の半導体メモリカード。
【請求項５】
前記ピン群の中の差動データ信号及び差動クロック信号が割り当てられたピンは、前記ピン群の中の電源又はグラウンドが割り当てられたピンよりも面積が小さいことを特徴とする請求項４記載の半導体メモリカード。
【発明の詳細な説明】
【技術分野】
【０００１】
本発明の実施形態は、半導体メモリカードに関する。
【背景技術】
【０００２】
近年、ＮＡＮＤフラッシュメモリなどの半導体メモリを用いたメモリカード（例えばＳＤＴＭメモリカード、以下ＳＤメモリカード）は、連続撮影した静止画像や高解像度の動画像の記録といった用途にも用いられている。これらの用途においては短時間に多くの情報を読み出したり書き込んだりすること、即ちデータ転送速度の高速化が求められている。一例としては、３００ＭＢｙｔｅ／ｓｅｃのデータ転送速度を実現することが求められている。
【先行技術文献】
【特許文献】
【０００３】
【特許文献１】特開２００５−８４９３５号公報
【発明の概要】
【発明が解決しようとする課題】
【０００４】
実施の形態は、データ転送速度の高速化を実現した半導体メモリカードを提供することを目的とする。
【課題を解決するための手段】
【０００５】
実施の形態の半導体メモリカードは、半導体メモリ及び該半導体メモリを制御するコントローラが実装された基板と、基板を収容する筐体とを有し、第１のモードよりも高速にデータを転送する第２のモードで半導体メモリへのデータの読み書きが可能な半導体メモリカードである。実施の形態の半導体メモリカードは、コネクタへの挿入方向の端部に挿入方向と直交する方向に配列して配置され、半導体メモリへのデータの読み書きをコントローラに第２のモードで行わせる際に用いられるピン群と、第１のモード専用のコネクタのカード挿入穴に正常位置まで挿入されることを、第１のモード専用のコネクタのカード挿入穴の開口部と干渉して妨げ、かつ、カード挿入穴の奥端部に第１のモード用の端子を、第１のモード用の端子よりもカード挿入穴の開口側に第２のモード用の端子をそれぞれ備え、第１及び第２のモードの両方に対応した兼用コネクタのカード挿入穴の内壁と干渉することによって、ピン群が第２のモード用の端子と接触する位置よりも奥へ挿入されることを妨げる干渉部とを備える。
【図面の簡単な説明】
【０００６】
【図１】図１は、第１の実施の形態に係る半導体メモリカードとしてＳＤメモリカードの構成を示す図。
【図２】図２は、ハイスピードＳＤメモリカードの前面図。
【図３】図３は、通常モード及び高速モードのいずれでも動作可能なハイブリッドＳＤカードの構成を示す図。
【図４】図４は、ハイブリッドＳＤメモリカードにデータを読み書きする際に用いる高速モード対応コネクタの形状を示す図。
【図５】図５は、ハイブリッドＳＤメモリカードを高速モード対応コネクタのカード挿入穴に挿入した状態を示す図。
【図６】図６は、高速モード対応コネクタのカード挿入穴に、ノーマルＳＤメモリカードを挿入した状態を示す図。
【図７】図７は、高速モード対応コネクタのカード挿入穴に、ハイスピードＳＤメモリカードを挿入した状態を示す図。
【図８】図８は、ノーマルコネクタのカード挿入穴の開口形状とハイスピードＳＤメモリカードの断面形状との関係を示す図。
【図９】図９は、第２の実施の形態に係る半導体メモリカードとしてＳＤメモリカードの構成を示す図。
【図１０】図１０は、ハイスピードＳＤメモリカードの前面図。
【図１１】図１１は、ハイブリッドＳＤメモリカードの構成を示す図。
【図１２】図１２は、ハイブリッドＳＤメモリカードにデータを読み書きする際に用いる高速モード対応コネクタの形状を示す図。
【図１３】図１３は、高速モード対応コネクタのカード挿入穴に、ハイブリッドＳＤメモリカードを挿入した状態を示す図。
【図１４】図１４は、高速モード対応コネクタのカード挿入穴に、ノーマルＳＤメモリカードを挿入した状態を示す図。
【図１５】図１５は、高速モード対応コネクタのカード挿入穴に、ハイスピードＳＤメモリカードを挿入した状態を示す図。
【図１６】図１６は、ノーマルコネクタのカード挿入穴の開口形状とハイスピードＳＤメモリカードの断面形状との関係を示す図。
【図１７】図１７は、第３の実施の形態に係る半導体メモリカードとしてＳＤメモリカードの構成を示す図。
【図１８】図１８は、ハイスピードＳＤメモリカードの前面図。
【図１９】図１９は、ハイブリッドＳＤメモリカードの構成を示す図。
【図２０】図２０は、ハイブリッドＳＤメモリカードにデータを読み書きする際に用いる高速モード対応コネクタの形状を示す図。
【図２１】図２１は、ハイブリッドＳＤメモリカードを高速モード対応コネクタのカード挿入穴に挿入した状態を示す図。
【図２２】図２２は、高速モード対応コネクタに、ノーマルＳＤメモリカードを挿入した状態を示す図。
【図２３】図２３は、高速モード対応コネクタのカード挿入穴に、ハイスピードＳＤメモリカードを挿入した状態を示す図。
【図２４】図２４は、ノーマルコネクタのカード挿入穴の開口形状とハイスピードＳＤメモリカードの断面形状との関係を示す図。
【図２５】図２５は、ノーマルＳＤメモリカードの上面図。
【図２６】図２６は、ノーマルＳＤメモリカードの下面図。
【図２７】図２７は、ノーマルＳＤメモリカードの前面図。
【図２８】図２８は、ノーマルＳＤメモリカードにデータを読み書きする際に用いるコネクタの形状を示す図。
【図２９】図２９は、ノーマルＳＤメモリカードを正しい向きでノーマルコネクタのカード挿入穴に挿入した状態を示す図。
【図３０】図３０は、ノーマルＳＤメモリカードを前後逆向きでノーマルコネクタのカード挿入穴に挿入した状態を示す図。
【図３１】図３１は、ノーマルＳＤメモリカードを上下逆向きではノーマルコネクタのカード挿入穴に挿入できないことを示す図。
【発明を実施するための形態】
【０００７】
以下に添付図面を参照して、実施の形態に係る半導体メモリカードを詳細に説明する。なお、これらの実施の形態により本発明が限定されるものではない。
【０００８】
（第１の実施の形態）
図１は、第１の実施の形態に係る半導体メモリカードとしてＳＤメモリカードの構成を示す図である。本実施の形態に係るＳＤメモリカードは、高速モードのみで動作するＳＤメモリカード（ハイスピードＳＤメモリカード）である。ここで、図１の紙面における上方向はコネクタへの挿入方向であり、上側を「前」と定義する。同様に図１の紙面下方向はコネクタからの抜き取り方向であり、下側を「後」と定義する。さらに、図１の紙面奥方向を「上」、紙面手前方向を「下」と定義する。ハイスピードＳＤメモリカード１００は、例えばＮＡＮＤ型フラッシュメモリなどの不揮発性半導体メモリで形成されたメモリパッケージ（不図示）及びそれを制御するメモリコントローラ（不図示）が実装された回路基板（不図示）を、上ケース１（図１では不図示）と下ケース２とからなる筐体内に収容した構成である。
【０００９】
図２に、ハイスピードＳＤメモリカード１００の前面図を示す。図２に示すように、ハイスピードＳＤメモリカード１００は、側面の一方のみにリブ３が形成されており、下側の幅が若干狭くなっている。
【００１０】
ハイスピードＳＤメモリカード１００は、上面視略矩形状であり、クビレは設けられていない。ハイスピードＳＤメモリカード１００の幅は、後述するノーマルＳＤメモリカードのクビレよりも後ろの幅（最も太い部分）と同じである。また、リブ３が形成された側の側面には、先端近傍にライトプロテクトスイッチ６が形成されている。ハイスピードＳＤメモリカード１００は、ライトプロテクトスイッチ６が先端側に配置された場合は書き込み不可状態となり、後端側に配置された場合は書き込み可能状態となる。ハイスピードＳＤメモリカード１００の下面の先端近傍には、ハイスピードＳＤメモリカード１００を高速モードで動作させる（メモリパッケージへのデータの読み書きをメモリコントローラに高速モードで行わせる）際に用いる高速モード用ピン５（第２のピン群に相当）が挿入方向と交差する方向に配列して複数個配置されている。高速モード用ピン５は、上述の不図示の回路基板に形成された電極パターンを、下ケース２に設けられた開口を介してハイスピードＳＤメモリカード１００の下面側に露出させたものである。なお、高速モード用ピン５は、差動信号を送受するためのピンである。高速モード用ピン５は、例えば、差動クロック信号ＲＣＬＫ＋及びＲＣＬＫ−と差動データ信号Ｄ０＋及びＤ０−と、差動データ信号Ｄ１＋及びＤ１−と、電源ＶＤＤ２とＧＮＤとが割り当てられる。また、信号ピンを電源ピンやグラウンドピンと比較して小さくしている。信号ピン（差動クロック信号ＲＣＬＫ±、差動データ信号Ｄ０±、Ｄ１±）を、電源ＶＤＤ２やＧＮＤと比較して面積を小さくすることで、寄生容量が小さくなりデータ転送速度の高速化を実現しやすくなる。
【００１１】
比較のために、通常モードのみで動作するＳＤメモリカード（ノーマルＳＤメモリカード）の構成を図２５〜図２７に示す。図２５は、ノーマルＳＤメモリカードの上面図、図２６は、ノーマルＳＤメモリカードの下面図、図２７は、ノーマルＳＤメモリカードの前面図である。ノーマルＳＤメモリカード５００は、本実施の形態に係るハイスピードＳＤメモリカード１００と同様に、例えばＮＡＮＤ型フラッシュメモリなどの不揮発性半導体メモリで形成されたメモリパッケージ及びそれを制御するメモリコントローラが実装された回路基板を上ケース５０１及び下ケース５０２からなる筐体内に収容した構成であり、下面の先端近傍にピン５０３が挿入方向に交差する方向に複数個配置されている。また、ノーマルＳＤメモリカード５００は、先端側の一方の側面が斜めになってクビレ５０４が設けられており、先細になっている。ノーマルＳＤメモリカード５００の両側面には、リブ５０５が設けられている。また、クビレ５０４が形成された側と反対側の側面には、ライトプロテクトスイッチ５０６が形成されている。ノーマルＳＤメモリカード５００は、ライトプロテクトスイッチ５０６が先端側に配置された場合は書き込み可能状態となり、後端側に配置された場合は書き込み不可状態となる。
【００１２】
図２８に、ノーマルＳＤメモリカード５００にデータを読み書きする際に用いるコネクタ（ノーマルコネクタ）の形状を示す。ノーマルコネクタ６００のカード挿入穴６０１は、ノーマルＳＤメモリカード５００の前面視と略同一形状の凸状に開口している。すなわち、カード挿入穴６０１の幅は、ノーマルＳＤメモリカード５００の幅が広い部分よりもやや広く、ノーマルＳＤメモリカード５００がノーマルコネクタ６００に挿入された状態で固定される程度の大きさを有している。したがって、ノーマルＳＤメモリカード５００は、前後及び表裏が正しい向きであれば、図２９に示すように、カード挿入穴６０１の奥端まで挿入可能である。しかし、ノーマルコネクタ６００のカード挿入穴６０１はノーマルＳＤメモリカード５００に合わせて先細りになっている。そのため、前後が逆向きであると、図３０に示すように、ノーマルＳＤメモリカード５００は、カード挿入穴６０１に途中までしか挿入できない。また、表裏が逆向きであると、図３１に示すようにカード挿入穴６０１の開口の形状に適合しないため、全く挿入できない。
【００１３】
また、比較のために、図３に、通常モード及び高速モードのいずれでも動作可能なＳＤメモリカード（ハイブリッドＳＤメモリカード）３００の構成を示す。ハイブリッドＳＤメモリカード３００の幅は、ノーマルＳＤメモリカード５００のクビレ５０４よりも後ろの幅（最も太い部分）と同じである。また、ハイブリッドＳＤメモリカードは、ハイスピードＳＤメモリカード１００と同様にクビレを備えていない。ハイブリッドＳＤメモリカード３００は、側面の片側にのみリブ３０３が形成されており、ノーマルコネクタ６００のカード挿入穴６０１には挿入することができなくなっている。また、リブ３０３が形成された側面とは反対側の側面には、先端部（通常モード用ピンが配置された部分）のみに切り欠き３０７が設けられている。また、リブ３０３が形成された側の側面には、ライトプロテクトスイッチ３０６が形成されている。ハイブリッドＳＤメモリカード３００は、ライトプロテクトスイッチ３０６が先端側に配置された場合は書き込み可能状態となり、後端側に配置された場合は書き込み不可状態となる。
【００１４】
ハイブリッドＳＤメモリカード３００の下面の先端近傍には、ハイブリッドＳＤメモリカード３００を通常モードで動作させる際に用いる通常モード用ピン３０４が挿入方向と交差する方向に配列して複数個配置されている。また、ハイブリッドＳＤメモリカード３００の通常モード用ピン３０４が配置された領域よりも後方には、ハイブリッドＳＤメモリカード３００を高速モードで動作させる際に用いる高速モード用ピン３０５が挿入方向と交差する方向に配列して複数個配置されている。
【００１５】
図４は、ハイブリッドＳＤメモリカード３００にデータを読み書きする際に用いる高速モード対応コネクタ２００の形状を示す図である。高速モード対応コネクタ２００のカード挿入穴２０１は、ハイスピードＳＤメモリカード１００やハイブリッドＳＤメモリカード３００の前面視の形状と対応する開口形状を有しており、一方の内側壁にリブ３、３０３、５０５に対応する溝２０８が形成されている。また、リブ３、３０３、５０５に対応する溝２０８が形成された側と反対側の内側壁の奥端近傍には、切り欠き３０７に対応した突起２０９が形成されている。
【００１６】
なお、図４においては図示していないが、カード挿入穴２０１の奥端近傍には、通常モードでデータを転送するための通常モード用端子２０２が設置されている。また、通常モード用端子２０２が設置された部分よりも開口に近い側には、高速モードでデータを転送するための高速モード用端子２０３が設置されている。
【００１７】
図５は、ハイブリッドＳＤメモリカード３００を高速モード対応コネクタ２００のカード挿入穴２０１に挿入した状態を示す図である。カード挿入穴２０１は、リブ３０３に対応する溝２０８を一方の内壁に備えているため、ハイブリッドＳＤメモリカード３００の前後及び表裏が正しい向きである場合にのみ、ハイブリッドＳＤメモリカード３００の挿入が可能である。また、突起２０９は、ハイブリッドＳＤメモリカード３００に設けられた切り欠き３０７と対応する形状となっているため、ハイブリッドＳＤメモリカード３００は突起２０９と干渉することなくカード挿入穴２０１の奥端まで挿入可能である。ハイブリッドＳＤメモリカード３００をカード挿入穴２０１の奥端まで挿入することにより、カード挿入穴２０１の奥端近傍に配置された通常モード用端子２０２と対応する位置には通常モード用ピン３０４が配置され、通常モード用端子２０２よりも開口側に配置された高速モード用端子２０３と対応する位置には高速モード用ピン３０５が配置される。
【００１８】
図６は、高速モード対応コネクタ２００のカード挿入穴２０１に、ノーマルＳＤメモリカード５００を挿入した状態を示す図である。ノーマルＳＤメモリカード５００は、前後・表裏が正しければ、ハイブリッドＳＤメモリカード３００と同様にカード挿入穴２０１に挿入可能である。そして、ノーマルＳＤメモリカード５００は、両側面にリブ５０５が形成されているため、カード挿入穴２０１の奥端近傍に形成された突起２０９と干渉することなくカード挿入穴２０１の奥端まで挿入可能である。ノーマルＳＤメモリカード５００をカード挿入穴２０１の奥端まで挿入すると、ノーマルＳＤメモリカード５００の先端近傍に形成されたピン５０３は、カード挿入穴２０１の奥端近傍に配置された通常モード用端子２０２と対応する位置に配置される。したがって、高速モード対応コネクタ２００のカード挿入穴２０１にノーマルＳＤメモリカード５００を挿入して、データの読み書きを行うことが可能である。また、ノーマルＳＤメモリカード５００は、高速モード用端子２０３が配置された領域に対応する領域にはピンが設けられていないため、高速モード対応コネクタ２００の高速モード用端子２０３と誤接触する恐れはない。
【００１９】
図７は、高速モード対応コネクタ２００のカード挿入穴２０１に、ハイスピードＳＤメモリカード１００を挿入した状態を示す図である。カード挿入穴２０１に挿入されたハイスピードＳＤメモリカード１００は、突起２０９と干渉して、カード挿入穴２０１の途中でそれ以上の挿入が規制される。ハイスピードＳＤメモリカード１００の挿入方向の先端に配置された高速モード用ピン５は、挿入が規制された位置において、高速モード用端子２０３と接触する。ハイスピードＳＤメモリカード１００を書き込み可能状態でカード挿入穴２０１に挿入した場合にライトプロテクトスイッチ６が配置される位置と、ハイブリッドＳＤメモリカード３００を書き込み可能状態でカード挿入穴２０１に挿入した場合にライトプロテクトスイッチ３０６が配置される位置は同じである。このため、高速モード対応コネクタ２００は、ハイブリッドＳＤメモリカード３００とハイスピードＳＤメモリカード１００とを区別することなく、データの書き込み禁止動作を行える。このように、ハイスピードＳＤメモリカード１００は、通常モード及び高速モードに対応した高速モード対応コネクタ２００で使用することができる。
【００２０】
図８は、ノーマルコネクタ６００のカード挿入穴６０１の開口形状とハイスピードＳＤメモリカード１００の断面形状との関係を示す図である。ハイスピードＳＤメモリカード１００は、前後・表裏の向きをどのように変えたとしてもノーマルコネクタ６００のカード挿入穴６０１の開口縁部（図２８参照）と干渉する状態となる。すなわち、ハイスピードＳＤメモリカード１００の幅はノーマルＳＤメモリカード５００と同じであるが、リブ３が側面の一方のみに形成されているため、どの向きであってもノーマルコネクタ６００のカード挿入穴６０１に挿入することは不可能である。
【００２１】
また、高速モードでのデータ転送専用のコネクタ（ハイスピードコネクタ）のカード挿入穴の開口形状は、図４に示した高速モード対応コネクタ２００のカード挿入穴２０１の開口形状と同じである。すなわち、ハイスピードコネクタのカード挿入穴の開口形状は、ハイスピードＳＤメモリカード１００の前面視に対応する形状となっており、リブ３に対応する溝が内側壁の一方のみに形成されている。このため、ハイスピードＳＤメモリカード１００の前後・表裏が正しくない向きでは、ハイスピードコネクタのカード挿入穴への挿入が不可となっている。なお、ハイスピードＳＤメモリカード１００を正しい向きでハイスピードコネクタのカード挿入穴へ挿入した場合に、所定の挿入深さにおいて、ハイスピードコネクタの高速モード用端子とハイスピードＳＤメモリカード１００の高速モード用ピン５とが接触し、高速モードでデータ転送が可能となることは言うまでもない。
なお、ハイスピードコネクタの形状は、図５に示した、高速モード対応コネクタ２００の突起２０９から奥側の部分を取り除いた形状と同じである。すなわち、ハイスピードコネクタの奥端部は、高速モード対応コネクタ２００の突起２０９の位置に配置されることになる。
【００２２】
本実施の形態に係るＳＤメモリカードは、メモリパッケージへのデータの読み書きをメモリコントローラに高速モードで行わせるための端子を備えているため、データ転送速度の高速化を実現できる。しかも、本実施の形態に係るＳＤメモリカードは、高速モード対応コネクタやハイスピードコネクタへ挿入して高速モードでデータを転送できるが、ノーマルコネクタには挿入することはできない。また、高速モード対応コネクタへ挿入した場合は、本実施の形態に係るＳＤメモリカードの挿入が途中で規制され、本実施の形態に係るＳＤメモリカードの高速モード用ピンと通常モード用端子とが接触しない。したがって、本実施の形態に係るＳＤメモリカードは、高速モード用端子がノーマルコネクタの通常モード用ピンと誤接触することがない。
【００２３】
（第２の実施の形態）
第２の実施の形態に係るＳＤメモリカードは、第１の実施の形態と同様に、ＮＡＮＤ型フラッシュメモリなどの不揮発性半導体メモリで形成されたメモリパッケージ及びそれを制御するメモリコントローラが実装された回路基板を筐体内に収容した構成であるため、第１の実施の形態と異なる点についてのみ説明する。図９は、第２の実施の形態に係る半導体メモリカードとしてＳＤメモリカードの構成を示す図である。ハイスピードＳＤメモリカード１１０は、先端側の一方の側面が斜めになってクビレ１１０ａが設けられており、先細になっている。先端部分での幅はノーマルＳＤメモリカード５００よりも広くなっている。すなわち、ハイスピードＳＤメモリカード１１０は、どの部分の幅もノーマルＳＤメモリカード５００よりも広くなっている。クビレ１１０ａが設けられた側と反対側の側面にはライトプロテクトスイッチ６が設けられている。ハイスピードＳＤメモリカード１１０は、ライトプロテクトスイッチ６が先端側に配置された場合は書き込み不可状態となり、後端側に配置された場合は書き込み可能状態となる。
【００２４】
図１０に、ハイスピードＳＤメモリカード１１０の前面図を示す。図１０に示すように、ハイスピードＳＤメモリカード１１０は、両側面にリブ３が形成されており、前面視が略凸状を呈し、上側の幅が若干狭くなっている。
【００２５】
比較のために、図１１に、ハイブリッドＳＤメモリカード３１０の構成を示す。ハイブリッドＳＤメモリカード３１０は、側面の片側に幅方向の段差３１７ａ及び段差３１７ｂが側面３１７ｃで結ばれるように形成されている。ここで、段差３１７ａよりも先端側の幅はノーマルＳＤメモリカード５００と同様である。具体的には、ハイブリッドＳＤメモリカード３１０とノーマルＳＤメモリカード５００とを、通常モード用ピン３０４が配置された側の先端部を重ねるように上下においた場合、段差３１７ａよりも先端側の形状が同じであることを意味する。
また、ハイブリッドＳＤメモリカード３１０の段差３１７ａよりも後ろの幅（最も太い部分の幅）は、ノーマルＳＤメモリカード５００のクビレ５０４よりも後ろの幅（最も太い部分の幅）よりも広い。また、ハイブリッドＳＤメモリカード３１０の段差３１７ａよりも後ろの幅（最も太い部分の幅）は、ハイスピードＳＤメモリカード１１０の段差１１０ａよりも後ろの幅（最も太い部分の幅）と同様である。具体的には、ハイブリッドＳＤメモリカード３１０とハイスピードＳＤメモリカード１１０とを、通常モード用ピン３０４が配置された反対側の先端部を重ねるように上下においた場合、段差３１７ａよりも後ろの形状が同じであることを意味する。
また、ハイブリッドＳＤメモリカード３１０は、両側面にリブ３１３が形成されている。また、段差３１７ａ及び３１７ｂが形成された側の側面には、ライトプロテクトスイッチ３１６が形成されている。ハイブリッドＳＤメモリカード３００は、ライトプロテクトスイッチ３１６が先端側に配置された場合は書き込み可能状態となり、後端側に配置された場合は書き込み不可状態となる。
【００２６】
ハイブリッドＳＤメモリカード３１０の下面の先端近傍には、ハイブリッドＳＤメモリカード３１０を通常モードで動作させる際に用いる通常モード用ピン３１４が挿入方向と交差する方向に配列して複数個配置されている。また、ハイブリッドＳＤメモリカード３１０の通常モード用ピン３１４が配置された領域よりも後方には、ハイブリッドＳＤメモリカード３１０を高速モードで動作させる際に用いる高速モード用ピン３１５が挿入方向と交差する方向に配列して複数個配置されている。
【００２７】
図１２は、ハイブリッドＳＤメモリカード３１０にデータを読み書きする際に用いる高速モード対応コネクタ２１０の形状を示す図である。高速モード対応コネクタ２１０のカード挿入穴２１１は、ハイスピードＳＤメモリカード１１０やハイブリッドＳＤメモリカード３１０の前面視の形状と対応する開口形状を有しており、両内側壁にリブ３、３１３、５０５に対応する溝２１８が形成されている。高速モード対応コネクタ２１０のカード挿入穴２１１の形状は、ハイブリッドＳＤメモリカード３１０の幅方向の形状と対応しており、一方の内側壁に段差２１１ａが形成されていて途中で狭くなっている。
【００２８】
なお、図１２においては図示していないが、カード挿入穴２１１の奥端近傍には、通常モードでデータを転送するための通常モード用端子２１２が設置されている。また、通常モード用端子２１２が設置された部分よりも開口に近い側には、高速モードでデータを転送するための高速モード用端子２１３が設置されている。
【００２９】
図１３は、高速モード対応コネクタ２１０のカード挿入穴２１１に、ハイブリッドＳＤメモリカード３１０を挿入した状態を示す図である。ハイブリッドＳＤメモリカード３１０は、高速モード対応コネクタ２１０のカード挿入穴２１１にほぼ隙間無く嵌り、カード挿入穴２１１の奥端近傍に配置された通常モード用端子２１２と対応する位置には通常モード用ピン３１４が配置され、カード挿入穴２１１の幅が減少する部分よりも開口側に配置された高速モード用端子２１３と対応する位置には高速モード用ピン３１５が配置される。
【００３０】
図１４に、高速モード対応コネクタ２１０のカード挿入穴２１１に、ノーマルＳＤメモリカード５００を挿入した状態を示す。高速モード対応コネクタ２１０のカード挿入穴２１１の開口近傍での幅は、ノーマルＳＤメモリカード５００よりも広いため、挿入したノーマルＳＤメモリカード５００とカード挿入穴２１１の内壁との間に隙間が生じるが、ノーマルＳＤメモリカード５００は高速モード対応コネクタ２１０に設置された付勢部材２１４によってクビレ５０４を有する側面が付勢されていて、クビレ５０４を備えない側面がカード挿入穴２１１の内壁に押し付けられる。これにより、ノーマルＳＤメモリカード５００は、カード挿入穴２１１の内壁の段差２１１ａに当接せずにカード挿入穴２１１の奥端まで挿入される。また、ノーマルＳＤメモリカード５００のクビレ５０４とカード挿入穴２１１の内壁の段差２１１ｂとが当接することにより、ノーマルＳＤメモリカード５００の挿入時の位置が安定する。よって、ノーマルＳＤメモリカード５００の先端近傍に形成されたピン５０３は、高速モード対応コネクタ２１０のカード挿入穴２１１の奥端近傍に配置された通常モード用端子２１２と対応する位置に配置される。したがって、高速モード対応コネクタ２１０のカード挿入穴２１１にノーマルＳＤメモリカード５００を挿入して、データの読み書きを行うことが可能である。また、ノーマルＳＤメモリカード５００は、高速モード用端子２１３が配置された領域に対応する領域にはピンが設けられていないため、カード挿入穴２１１に挿入しても高速モード対応コネクタ２１０の高速モード用端子２１３と誤接触する恐れはない。
【００３１】
図１５は、高速モード対応コネクタ２１０のカード挿入穴２１１に、ハイスピードＳＤメモリカード１１０を挿入した状態を示す図である。カード挿入穴２１１に挿入されたハイスピードＳＤメモリカード１１０は、段差２１１ａと干渉して、カード挿入穴２１１の途中でそれ以上の挿入が規制される。ハイスピードＳＤメモリカード１１０の挿入方向の先端に配置された高速モード用ピン５は、段差２１１ａと干渉してそれ以上の挿入が規制された位置において、高速モード用端子２１３と接触する。ハイスピードＳＤメモリカード１１０を書き込み可能状態でカード挿入穴２１１に挿入した場合にライトプロテクトスイッチ６が配置される位置と、ハイブリッドＳＤメモリカード３１０を書き込み可能状態でカード挿入穴２１１に挿入した場合にライトプロテクトスイッチ３１６が配置される位置は同じである。このため、高速モード対応コネクタ２１０は、ハイブリッドＳＤメモリカード３１０とハイスピードＳＤメモリカード１１０とを区別することなく、データの書き込み禁止動作を行える。このように、ハイスピードＳＤメモリカード１１０は、通常モード及び高速モードに対応した高速モード対応コネクタ２１０で使用することができる。
また、通常モード用端子２１２はハイスピードＳＤメモリカード１１０の本体に接触しない。その結果、通常モード用端子２１２とハイスピードＳＤメモリカード１１０の本体の接触により、ハイスピードＳＤメモリカード１１０の外形にダメージが入る可能性を減らすことができる。また、通常モード用端子２１２の耐久性を向上させることもできる。また、ハイスピードＳＤメモリカード１１０を先端側からカード挿入穴２１１に挿入した場合、通常モード用端子２１２の摩擦を受けずにすむ。その結果、ハイスピードＳＤメモリカード１１０を先端側からカード挿入穴２１１に挿入した場合、ハイスピードＳＤメモリカード１１０を容易に差し込むことが可能となる。
【００３２】
図１６は、ノーマルコネクタ６００のカード挿入穴６０１の開口形状とハイスピードＳＤメモリカード１１０の断面形状との関係を示す図である。ハイスピードＳＤメモリカード１１０は、幅がノーマルＳＤメモリカード５００よりも広いため、ハイスピードＳＤメモリカード１１０の前後・表裏の向きをどのように変えたとしてもノーマルコネクタ６００のカード挿入穴６０１の開口縁部（図２８参照）と干渉する状態となる。すなわち、ハイスピードＳＤメモリカード１１０は、どの向きであってもノーマルコネクタ６００のカード挿入穴６０１に挿入することは不可能である。
【００３３】
また、ハイスピードＳＤメモリカード専用のコネクタ（ハイスピードコネクタ）のカード挿入穴の開口形状は、図１２に示した高速モード対応コネクタ２１０のカード挿入穴２１１の開口形状と同じである。すなわち、ハイスピードコネクタのカード挿入穴の開口形状は、ハイスピードＳＤメモリカード１１０の前面視と対応する形状となっており、リブ３に対応する溝が両内側壁に形成されている。このため、ハイスピードＳＤメモリカード１１０の表裏が正しくない向きでは、カード挿入穴への挿入が不可となる。また、ハイスピードＳＤメモリカード１１０の前後が正しくない場合は、段差２１１ａの部分までしか挿入できない。なお、ハイスピードＳＤメモリカード１１０を正しい向きでハイスピードコネクタのカード挿入穴へ挿入した場合に、所定の挿入深さにおいて、ハイスピードコネクタの高速モード用端子とハイスピードＳＤメモリカード１１０の高速モード用ピン５とが接触し、高速モードでデータ転送が可能となることは言うまでもない。
なお、ハイスピードコネクタの形状は、図１２に示した、高速モード対応コネクタ２１０の側面部２１１ｃから奥側の部分を取り除いた形状と同じである。すなわち、ハイスピードコネクタの奥端部は、高速モード対応コネクタ２１０の段差２１１ａの奥端部の位置に配置されることになる。
【００３４】
本実施の形態に係るＳＤメモリカードは、メモリパッケージへのデータの読み書きをメモリコントローラに高速モードで行わせるための端子を備えているため、データ転送速度の高速化を実現できる。しかも、本実施の形態に係るＳＤメモリカードは、高速モード対応コネクタやハイスピードコネクタへ挿入して高速モードでデータを転送できるが、ノーマルコネクタには挿入することはできない。したがって、本実施の形態に係るＳＤメモリカードは、高速モード用端子がノーマルコネクタの通常モード用ピンと誤接触することがない。
【００３５】
（第３の実施の形態）
第３の実施の形態に係るＳＤメモリカードは、第１の実施の形態と同様に、ＮＡＮＤ型フラッシュメモリなどの不揮発性半導体メモリで形成されたメモリパッケージ及びそれを制御するメモリコントローラが実装された回路基板を筐体内に収容した構成であるため、第１の実施の形態と異なる点についてのみ説明する。図１７は、第３の実施の形態に係る半導体メモリカードとしてＳＤメモリカードの構成を示す図である。ハイスピードＳＤメモリカード１２０は、上面視略矩形状であり、クビレは設けられていない。ハイスピードＳＤメモリカード１２０の下面の先端近傍には、高速モード用ピン５が挿入方向に交差する方向に複数個配置されている。また、側面の一方には、先端近傍にライトプロテクトスイッチ６が形成されている。ハイスピードＳＤメモリカード１２０は、ライトプロテクトスイッチ６が先端側に配置された場合は書き込み不可状態となり、後端側に配置された場合は書き込み可能状態となる。
【００３６】
図１８は、ハイスピードＳＤメモリカード１２０の前面図である。図１８に示すように、ハイスピードＳＤメモリカード１２０は、両側面にリブ３が形成されており、前面視略凸状を呈して上側の幅が若干狭くなっている。ハイスピードＳＤメモリカード１２０は、厚さがノーマルＳＤメモリカード５００よりも厚くなっている。
【００３７】
比較のために、図１９に、ハイブリッドＳＤメモリカード３２０の構成を示す。ハイブリッドＳＤメモリカード３２０は、厚さ方向の段差３２７が形成されており、先端側の厚さは、ノーマルＳＤメモリカード５００と同様であるが、後端へ向かって途中でハイブリッドＳＤメモリカード３２０の厚さが厚くなっている。ハイブリッドＳＤメモリカード３２０の段差３２７よりも後ろの厚さは、ノーマルＳＤメモリカード５００の厚さよりも厚い。また、ハイブリッドＳＤメモリカード３２０の段差３２７よりも後ろの厚さは、ハイスピードＳＤメモリカード１２０の厚さと同様である。また、ハイブリッドＳＤメモリカード３２０は、先端側の一方の側面が斜めになってクビレ３２８が設けられており、先細になっている。また、ハイブリッドＳＤメモリカード３２０の両側面にはリブ３２３が形成されている。ハイブリッドＳＤメモリカード３２０の下面の先端近傍には、通常モード用ピン３２４が挿入方向と交差する方向に複数個配置されている。また、ハイブリッドＳＤメモリカード３２０の通常モード用ピン３２４が配置された領域よりも後方には、高速モード用ピン３２５が挿入方向に交差する方向に複数個配置されている。ここで、高速モード用ピン３２５は段差３２７よりも後方に配置されることになる。また、クビレ３２８が形成された側の反対の側面には、ライトプロテクトスイッチ３２６が形成されている。ハイブリッドＳＤメモリカード３２０は、ライトプロテクトスイッチ３２６が先端側に配置された場合は書き込み可能状態となり、後端側に配置された場合は書き込み不可状態となる。
【００３８】
図２０は、ハイブリッドＳＤメモリカード３２０にデータを読み書きする際に用いる高速モード対応コネクタ２２０の形状を示す図である。高速モード対応コネクタ２２０のカード挿入穴２２１は、ハイスピードＳＤメモリカード１２０やハイブリッドＳＤメモリカード３２０の前面視の形状と対応する開口形状を有しており、両内側壁にリブ３、３２３、５０５に対応する溝２２８が形成されている。高速モード対応コネクタ２１０のカード挿入穴２２１の形状は、ハイブリッドＳＤメモリカード３２０の幅方向の形状と対応しており、内側壁に段差２２１ａが形成されていて途中で高さ寸法が小さくなっている。
【００３９】
なお、図２０においては図示していないが、カード挿入穴２２１の奥端近傍には、通常モードでデータを転送するための通常モード用端子２２２が設置されている。また、通常モード用端子２２２が設置された部分よりも開口に近い側には、高速モードでデータを転送するための高速モード用端子２２３が設置されている。
【００４０】
図２１は、ハイブリッドＳＤメモリカード３２０を高速モード対応コネクタ２２０のカード挿入穴２２１に挿入した状態を示す図である。高速モード対応コネクタ２２０のカード挿入穴２２１の形状は、ハイブリッドＳＤメモリカード３２０の厚さ方向の形状と対応しており、カード挿入穴２２１は途中で低くなっている。このため、ハイブリッドＳＤメモリカード３２０は、高速モード対応コネクタ２２０のカード挿入穴２２１にほぼ隙間無く嵌り、カード挿入穴２２１の奥端近傍に配置された通常モード用端子２２２と対応する位置には通常モード用ピン３２４が配置され、カード挿入穴２１１の幅が減少する部分よりも開口側に配置された高速モード用端子２２３と対応する位置には高速モード用ピン３２５が配置される。
【００４１】
図２２に、高速モード対応コネクタ２２０に、ノーマルＳＤメモリカード５００を挿入した状態を示す。高速モード対応コネクタ２２０のカード挿入穴２２１の開口近傍での高さは、ノーマルＳＤメモリカード５００の厚さよりも大きいため、挿入したノーマルＳＤメモリカード５００とカード挿入穴２２１の内壁との間に隙間が生じる。ノーマルＳＤメモリカード５００は、両側面のリブによって上下方向の移動が規制されるため、ノーマルＳＤメモリカード５００はカード挿入穴２２１内の段差２２１ａに当接することなく、カード挿入穴２２１の奥端まで挿入される。ノーマルＳＤメモリカード５００の先端近傍に形成されたピン５０３は、高速モード対応コネクタ２２０のカード挿入穴２２１の奥端近傍に配置された通常モード用端子２２２と対応する位置に配置される。また、ノーマルＳＤメモリカード５００のクビレ５０４とカード挿入穴２１１の内壁の段差２１１ｂとが当接することにより、ノーマルＳＤメモリカード５００の挿入時の位置が安定する。したがって、高速モード対応コネクタ２２０のカード挿入穴２２１にノーマルＳＤメモリカード５００を挿入して、データの読み書きを行うことが可能である。また、ノーマルＳＤメモリカード５００は、高速モード用端子２２３が配置された領域に対応する領域にはピンが設けられていないため、カード挿入穴２２１に挿入しても高速モード対応コネクタ２２０の高速モード用端子２２３と誤接触する恐れはない。
【００４２】
図２３は、高速モード対応コネクタ２２０のカード挿入穴２２１に、ハイスピードＳＤメモリカード１２０を挿入した状態を示す図である。カード挿入穴２２１に挿入されたハイスピードＳＤメモリカード１２０は、段差２２１ａと干渉して、カード挿入穴２２１の途中でそれ以上の挿入が規制される。ハイスピードＳＤメモリカード１２０の挿入方向の先端に配置された高速モード用ピン５は、段差２２１ａと干渉してそれ以上の挿入が規制された位置において、高速モード用端子２２３と接触する。ハイスピードＳＤメモリカード１２０を書き込み可能状態でカード挿入穴２２１に挿入した場合にライトプロテクトスイッチ６が配置される位置と、ハイブリッドＳＤメモリカード３２０を書き込み可能状態でカード挿入穴２２１に挿入した場合にライトプロテクトスイッチ３２６が配置される位置は同じである。このため、高速モード対応コネクタ２２０は、ハイブリッドＳＤメモリカード３２０とハイスピードＳＤメモリカード１２０とを区別することなく、データの書き込み禁止動作を行える。このように、ハイスピードＳＤメモリカード１２０は、通常モード及び高速モードに対応した高速モード対応コネクタ２２０で使用することができる。
また、通常モード用端子２２２はハイスピードＳＤメモリカード１２０の本体に接触しない。その結果、通常モード用端子２２２とハイスピードＳＤメモリカード１２０の本体の接触により、ハイスピードＳＤメモリカード１２０の外形にダメージが入る可能性を減らすことができる。また、通常モード用端子２２２の耐久性を向上させることもできる。また、ハイスピードＳＤメモリカード１２０を先端側からカード挿入穴２２１に挿入した場合、通常モード用端子２２２の摩擦を受けずにすむ。その結果、ハイスピードＳＤメモリカード１２０を先端側からカード挿入穴２１１に挿入した場合、ハイスピードＳＤメモリカード１２０を容易に差し込むことが可能となる。
【００４３】
図２４は、ノーマルコネクタ６００のカード挿入穴６０１の開口形状とハイスピードＳＤメモリカード１２０の断面形状との関係を示す図である。ハイスピードＳＤメモリカード１２０は、厚さがノーマルＳＤメモリカード５００よりも厚いため、ハイスピードＳＤメモリカード１２０の前後・表裏の向きをどのように変えたとしてもカード挿入穴６０１の開口縁部（図２８参照）と干渉する状態となる。すなわち、ハイスピードＳＤメモリカード１２０は、どの向きであってもノーマルコネクタ６００のカード挿入穴６０１に挿入することは不可能である。
【００４４】
また、ハイスピードＳＤメモリカード専用のコネクタ（ハイスピードコネクタ）のカード挿入穴の開口形状は、図２０に示した高速モード対応コネクタ２２０のカード挿入穴２２１の開口形状と同じである。すなわち、ハイスピードコネクタのカード挿入穴の開口形状は、ハイスピードＳＤメモリカード１２０の前面視と略同一形状となっており、リブ３に対応する溝が両内側壁に形成されている。このため、ハイスピードＳＤメモリカード１２０の表裏が正しくない向きでは、カード挿入穴２２１への挿入が不可となる。また、ハイスピードＳＤメモリカード１２０の前後が正しくない場合は、段差２２１ａの部分までしか挿入できない。なお、ハイスピードＳＤメモリカード１２０を正しい向きでカード挿入穴２２１へ挿入した場合に、所定の挿入深さにおいて、ハイスピードコネクタの高速モード用端子とハイスピードＳＤメモリカード１２０の高速モード用ピン５とが接触し、高速モードでデータ転送が可能となることは言うまでもない。
なお、ハイスピードコネクタの形状は、図２１に示した、高速モード対応コネクタ２２０の段差２２１から奥側の部分を取り除いた形状と同じである。すなわち、ハイスピードコネクタの奥端部は、高速モード対応コネクタ２２０の段差２２１の奥端部の位置に配置されることになる。
【００４５】
本実施の形態に係るＳＤメモリカードは、メモリパッケージへのデータの読み書きをメモリコントローラに高速モードで行わせるための端子を備えているため、データ転送速度の高速化を実現できる。しかも、本実施の形態に係るＳＤメモリカードは、高速モード対応コネクタやハイスピードコネクタへ挿入して高速モードでデータを転送できるが、ノーマルコネクタには挿入することはできない。したがって、本実施の形態に係るＳＤメモリカードは、高速モード用端子がノーマルコネクタの通常モード用ピンと誤接触することがない。
【００４６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明と均等の範囲に含まれる。
【符号の説明】
【００４７】
３  リブ、５  高速モード用ピン、１００、１１０、１２０  ハイスピードＳＤメモリカード、１１０ａ  クビレ、２００、２１０、２２０  高速モード対応コネクタ、２０１、２１１、２２１、６０１  カード挿入穴、２０２、２１２、２２２  通常モード用端子、２０３、２１３、２２３  高速モード用端子、５００  ノーマルＳＤメモリカード、６００  ノーマルコネクタ。
【図１】
2011146022.tif 000003
【図２】
2011146022.tif 000004
【図３】
2011146022.tif 000005
【図４】
2011146022.tif 000006
【図５】
2011146022.tif 000007
【図６】
2011146022.tif 000008
【図７】
2011146022.tif 000009
【図８】
2011146022.tif 000010
【図９】
2011146022.tif 000011
【図１０】
2011146022.tif 000012
【図１１】
2011146022.tif 000013
【図１２】
2011146022.tif 000014
【図１３】
2011146022.tif 000015
【図１４】
2011146022.tif 000016
【図１５】
2011146022.tif 000017
【図１６】
2011146022.tif 000018
【図１７】
2011146022.tif 000019
【図１８】
2011146022.tif 000020
【図１９】
2011146022.tif 000021
【図２０】
2011146022.tif 000022
【図２１】
2011146022.tif 000023
【図２２】
2011146022.tif 000024
【図２３】
2011146022.tif 000025
【図２４】
2011146022.tif 000026
【図２５】
2011146022.tif 000027
【図２６】
2011146022.tif 000028
【図２７】
2011146022.tif 000029
【図２８】
2011146022.tif 000030
【図２９】
2011146022.tif 000031
【図３０】
2011146022.tif 000032
【図３１】
2011146022.tif 000033